(57)【要約】【課題】    つる性植物の水耕栽培で行うに当たって、ビル屋上の緑化を、人力で持ち運びが可能な大きさ、重量とする。また、工場のスレート屋根などの緑化においても大掛かりな足場等の仮設備なしで施工が可能であるなど、作業性や経済性の高いつる性植物の栽培槽を提供する。【解決手段】  矩形あるいは円形などの所要の断面積と、一定の長さを有する栽培槽胴１本体と、それを任意の長さに切断したものを接続アダプター２で連接して所要の長さを確保し、その両端に終端カバー４をはめ込んで一体となす、つる性植物の栽培槽を構成する。また、その栽培槽を連接管７で接続し、自由な長さのつる性植物の栽培地を形成する。【選択図】  図２
2010017125.tif 000002
【特許請求の範囲】
【請求項１】
つる性植物の水耕栽培に用いる栽培槽であって、所要の断面積を有し、任意の長さに切断または接続アダプターにより複数個接続することにより、長さが自由に選択できるような構造とし、両端に終端カバーをはめ込んでなることを特徴とするつる性植物の栽培槽。
【請求項２】
前記終端カバーは、水耕または潅水栽培を行うために、少なくとも左右一端に、ドリップチューブに接続する給水管口と、余剰液肥の排水を行うための排水管口を取り付けた請求項１に記載の植物のつる性植物の栽培槽。
【請求項３】
前記終端カバーに取り付けた排水管口は、栽培槽内水位保持レベルに大口径、栽培槽の底部に小口径のそれぞれ１つ設置し、通常給水時には大口径排水管口に水位レベルを保ち、給水停止時には底部排水管で栽培槽の液肥を全量排水可能で、かつ両者が近傍で排水管に接続されていることを特徴とする請求項１乃至２に記載のつる性植物の栽培槽。
【請求項４】
個々の栽培槽を連接するため、終端カバーの給水管及び排水管がそれぞれ柔軟性を有する連接管で接続され、余剰液肥が一体の栽培槽としての流を形成することを特徴とする請求項１乃至３に記載のつる性植物の栽培槽。
【請求項５】
栽培槽に中敷を設け、個の上に２０〜３０メッシュの網を重ねた構造を有し、前記底部排水管口及び連接管の余剰液肥の流れを円滑にするとともに、排水管への微細なごみの還流がないことを特徴とする請求項１乃至４に記載のつる性植物の栽培槽。
【請求項６】
上記請求項１乃至５記載の栽培槽および施工対象となる構造物の形状に合わせて製作され、容易に水平レベルの現地調整を行うための調整手段を備えた栽培槽設置台。
【請求項７】
請求項１乃至５記載に記載した栽培槽を請求項６の栽培槽設置台に収納・固定し、円滑な余剰液肥の流れを形成するための水平レベルの現地調整方法。
【発明の詳細な説明】
【技術分野】
【０００１】
本発明は、屋上や屋根の緑化に用いる、つる性植物の栽培槽に関し、さらに詳細には、たとえば、つる性植物を利用したビルの屋上緑化、工場のスレートや折板屋根など比較的広い面積を全面的に緑化する際に用いる、連接可能なつる性植物の栽培槽に関る。
【背景技術】
【０００２】
大都市の中心部などにおいて、冷暖房設備からの排気、自動車の排気ガスおよび道路の舗装面からの熱線などの反射などにより気温が局部的に著しく上昇する、所謂、ヒートアイランド現象が問題化している。これを防止し、また、大気中の炭酸ガスの量を減少せしめるために、さらには冷房用電力の節減のために、たとえば、ビルの屋上に支柱と屋根構造の骨組みを構成し、その上にネットを張り、水耕栽培でつる性植物を繁茂させる屋上緑化が提案されている。また、工場などのスレート屋根や折板屋根の棟などに水耕栽培用の栽培槽を設け、ヘデラで大規模に屋根緑化を行うことも提案されている。
【０００３】
このような緑化対策は、増加し続けるビルや工場の二酸化炭素軽減のためにもきわめて重要である。しかしながら、緑化は施工方法によっては、工事費や維持費用が大きい上、施工上の条件にも困難なものが多く、これを解決することが実効的な環境対策の鍵となっている。
【０００４】
このような課題を解決するため、本発明では、運搬・据付上でもっともネックとなっている栽培槽の分割、現場組み立てを容易にできるようにした。また、大きさだけではなく、重量を軽減し、人力のみで屋上や屋根上に運搬・組み立てできる、大規模栽培槽を考案した。このようなつる性植物の栽培槽はこれまでに例を見ないが、栽培植物や設置場所などは全く違うが、見た目に多少似たような感じのものは数件ある。たとえば、特開２００４−１４７５９３号公報においては、屋上に多数のプランターを面的に配置し、これら相互を給水管で連続的に接続するとともに、水位検出センサーで自動的に一定水位に調整できる屋上プランターと屋上緑化システムが提案されている。
【０００５】
また、実開平５−６８２５５号公報においては、多数のプランターを連通孔同士を突き合わせて水密的に接続することにより、所望のパターンで構成でき、所要の植栽が可能となるような室内用の多目的水耕栽培プランターが提案されている。
【０００６】
しかしながら、前記先行文献、特開２００４−１４７５９３号公報に記載の屋上緑化用プランターは、多数のプランターを隙間なく接続し、屋上全体を覆いつくすタイプの緑化に用いるプランターであり、ビルの屋上に設置した支柱と屋根構造の骨組みの上や、工場などのスレート屋根や折板屋根の棟などに水耕栽培用の栽培槽を横一列に設置して、つる性植物で大規模に屋根緑化を行うタイプの緑化とは全く異なるものである。また、実開平５−６８２５５号公報についても、プランターを複数連結して使用する構造の水耕栽培プランターではあるが、使用目的、連結方法、植栽植物等本発明とは全く異なるものである上、設備費用などの面からも相当高価なものとなる可能性が高く、普及は限定される。
【０００７】
【特許文献１】特開２００４−１４７５９３号公報
【特許文献２】実開平５−６８２５５号公報
【発明の開示】
【発明が解決しようとする課題】
【０００８】
本発明の目的は、たとえば、屋上や屋根の緑化をヘデラ等のつる性植物の水耕栽培で行うに当たって、比較的大規模な緑化であっても、運搬作業が容易で、大掛かりな足場等の仮設備がなくても施工が可能など、普及促進型の、作業性や経済性の高いつる性植物の栽培槽を提供することにある。
【課題を解決するための手段】
【０００９】
矩形あるいは円形など、所要の断面積と、一定の長さを有する栽培槽本体と、それを任意の長さに切断したものを接続アダプターで連接して所要の長さを確保し、その両端に終端カバーをはめ込んで一体となす、つる性植物の栽培槽を構成する。
【００１０】
栽培槽の長さは、緑化を行う屋上や屋根の形状に合わせて決定し、栽培槽の所要長さが概ね３ｍを超えるような場合は、終端カバーの給水管及び排水管をそれぞれ柔軟性を有する連接管で接続し、余剰液肥が一体の栽培槽としての流を形成するよう、複数の栽培槽を直列に接続して用いる。
【００１１】
一連の栽培槽は、栽培槽の形状に合わせて製作され、水平レベルの調整を行った栽培槽設置台にぴったりとはめ込むような形で設置する。これにより、栽培槽の強度も合わせて補強され、長期間の使用にも腹だしなどの問題を生じない。
【発明の効果】
【００１２】
本発明は、ヘデラ等の下垂性のつる性植物で、屋上や屋根を全面緑化する場合に、極めて効果が大きい。すなわち、ビルの屋上に電力機器やクーリングタワー等が設置されている場合の緑化は、屋上のこれらの設置物を覆うように、支柱を立て骨組みを組んでネットを張り、その頂上に当該栽培槽を横一列に設置することになる。また、工場のスレート屋根や折板屋根を緑化する場合には、屋根の棟に横一列または複数列の当該栽培槽を設置することになる。いずれの場合も、水耕栽培を行うための液肥循環システムの給排水管をこの栽培槽に接続して一つの緑化システムを構成するが、作業性のよくない場所での施工となるため、栽培槽や栽培槽設置台の現地合わせ、水位レベル調整等の作業の容易性が確保できる形態としたことにより、屋上、屋根緑化の普及促進に関して極めて大きな効果が期待できる。
【発明を実施するための最良の形態】
【００１３】
本発明のつる性植物の栽培槽は、植生する植物が何なのか、また、それを継続的に何年間育成するのかなどによって必要とする断面積が異なる。たとえば、ヘデラ・カナリエンシスなど下垂性のヘデラを１０年以上育成するのであれば、概ね、幅３０ｃｍ、高さ２５ｃｍ程度の断面が必要となる。植生したい植物や施肥の方法の違いによる育成スピードなどを考慮し、数種類の断面積、あるいは、円形断面の物も含め、数種類の断面形状のものを考慮することが望ましい。
【００１４】
本発明において、栽培槽の材質は、塩化ビニールやプラスチックなどの樹脂類、ステンレスや酸化アルミニウムなどの金属製とし、腐食や錆びなどの発生がない材料で構成し、植生栽培時に、大きく変形しない程度の強度を有するものであれば良い。樹脂類を使用する場合は、長年の紫外線による劣化が問題となる場合もあるが、ヘデラなどのつる性植物の緑化では、１〜２年すると自ら繁茂し、日陰を作るため問題とはならないし、熱の伝導が小さいので、真夏の水温の上昇対策は実施しやすいというメリットがある。また、再生プラスチックを素材とするなどリサイクルも可能となる。
【００１５】
金属製とする場合は、熱伝導がよいため、日差しの厳しい屋根上で、太陽熱温水器のごとき状況となり循環液肥の温度上昇に繋がることから、断熱材を栽培槽の内側に張るか、外側を遮光・断熱し、上蓋も通風を良くするなどの水温上昇対策を、少なくとも植物が繁茂する１〜２年の間実施することが望ましい。
【００１６】
本発明の栽培槽は、運搬時の長さを任意に選択でき、足場を組むことなく小型のはしご式荷上げ機一つで十分施工できるという軽量設計であり、しかも屋根上など作業性の悪いところでも任意の長さにカットして運搬・組み立てし、現地に適合する長さに、いかようにも連接できる点が最大のメリットである。たとえば、ビルの屋上に１５ｍの栽培地を形成する場合には２．５ｍ程度の長さに切断した栽培槽の胴を台車に載せて運搬し、終端カバーをはめ込んで組み上げた６個の栽培槽を、支柱を立て構成した骨組みの上に固定された栽培槽設置台に載せレベル調整後、連接管で接続すればよい。もちろん、栽培槽の胴２個を接続アダプターで繋いで５ｍの栽培槽とし、３組栽培槽を連接管で繋いで１５ｍの栽培地としてもよい。
【００１７】
本発明の栽培槽は、栽培槽の底部をすのこや微細目ネットにより仕切り、植生植物の根や日向軽石などの充填物から隔絶された余剰液肥の通路として確保し、個々の栽培槽が硬質ゴムや蛇腹管など一定の柔軟性を持たせた連接管により連接されていることから、地震等の震動にも強く、水漏れなどの心配もない。終端カバーの一端に給・排水口を設置し、栽培槽に植生した植物の根元付近に給水口に接続したドリップチューブで液肥を点滴し、余剰液肥をそれぞれの栽培槽底部から排水口に誘導してもよいし、片端を給水口、もう一端を排水口とし、同様の循環をしてもよい。また、これとは別に、給水管と排水管の母管を栽培槽に沿って設置し、個々の栽培槽に並列的に急・排水を行うかたちで液肥の供給と余剰液肥の回収を行ってもよい。なお、給・排水口、連接管の終端カバーとの接続は、予め終端カバーにこれらのものを一体成型してもよいし、現地で終端カバーの任意な場所に穴加工し、接着材で強固に接着してもよい。また、パッキン等で漏水を防止して締め付けにより取り付けてもよい。
【実施例】
【００１８】
本発明を図示された実施例によって、さらに具体的に説明するが、本発明はこれらの実施例に限定されるものではない。
【００１９】
図１、図２は、本発明の実施形態を示す概略図であり、図１は、接続アダプター２の両側の溝部に接着剤を塗布した２個の栽培槽の胴１を中央部まではめ込むことにより接続し、さらに同様にして、片端に給・排水口を設けた終端カバー４を、そして別の端にもう一方の終端カバー３をはめ込んで１つの長サイズの栽培槽を形成している。
【００２０】
図２は、図１のように接続アダプター２で２つの栽培槽の胴を接続するのではなく、個々の胴の両端に終端カバー３をはめ込むことで、２個の短サイズの栽培槽を形成し、隣り合う終端カバーの給水管及び排水管を、それぞれ柔軟性を有する連接管７で接続し、余剰液肥が一体の栽培槽としての流を形成することにより一体の液肥循環を行うことのできる栽培地を形成しており、次々と連接すれば容易に所要長さの一連の栽培地を形成できる。
【００２１】
図３、図４は終端カバー４を示しており、この例では、栽培槽の胴１の切断部が終端ケースの溝にすっぽりとはめ込まれる形にしているが、両者は接着剤で十分に密着されていることから終端ケース溝部の内側１１を省略した形状とすることも可能である。
【００２２】
図３、図４に示す終端カバーは、液肥供給用の給水管口８と余剰液肥の排水を行うため排水管口９を取り付けた終端カバーを示しているが、最上部の液肥供給用給水管口８の栽培槽側にはドリップチューブ（図省略）が取り付けられており、植栽植物の根元付近に適量の液肥が点滴されながら、一つまたは複数の栽培槽を渡りまわっている。中間部に位置している排水管口９は給水管口８より口径を大きくして、十分な排水量を確保している。最下位の底部排水管１０は小口径であり、常時、余剰液肥の一部を排水管に戻しているが、この排水量よりも余剰液肥の量の方が多いので、水位レベルは中間に設置されている排水管口９の水位レベルまで上昇し、この位置で保たれている。なお、底部排水管１０は、液肥の滅菌等で必要が生じた際、液肥供給ポンプを停止することにより栽培槽の液肥を全量排出することができる。もちろん、底部排水管の排水能力を大きく取り、排水管本管との間に電磁バルブを設置して栽培槽の水位レベルを上げ下げすることも可能である。
【００２３】
図５、図６に示す接続アダプター２は、栽培槽の胴部１を複数個接続し、概ね１０ｍ程度までの、ひと繋ぎの栽培槽を形成する際に使用する。もちろん、短い長さの栽培槽を図２に示すように連接管７で接続して一連の栽培槽としてもよいが、設備費の低減や水平レベルの調整の容易性などから、許容できる範囲で長スパンの栽培槽の採用が有利である。
【００２４】
図７は栽培槽の断面図であるが、栽培槽の胴１の底部にパンチングやスリット状の余剰液肥のみを通過させる、すのこ１９を設置し、さらにその上を２０〜３０メッシュ程度の微細目の腐食しない材質のネット１８で覆い、栽培槽の充填物や植栽物の根で目詰まりすることのないようにしている。栽培槽には、はめ込み式あるいは開閉式の上カバー６が設置してあり、植栽物の根元に開けた上カバー穴５以外は開放部がないようにしており、雨水の侵入や雑草の種子の飛来・発芽を防止している。
【００２５】
図８は栽培槽設置台２０の一例を示すものであるが、この設置方法は、たとえば、スレート屋根であれば、屋根の棟をまたぐように栽培槽設置台を固定する。この際、栽培槽設置台２０の脚とスレート凸に接する面に、耐候性の硬質ゴム２１などを、敷くか脚に貼り付けるなどにより、荷重が分散されてスレートを傷めることがなく安定性もよくなる。栽培槽設置台２０は何分割かにして、個々の栽培槽設置台を屋根の骨材などに固定してもよいが、栽培槽設置台が棟全体にわたり連接してあれば、台風や地震の際にも安心できるし、栽培槽の自重で十分安定を保つことができる。さらに、安全を考慮する場合は屋根の骨材などへ固定すればよいが、この場合でも両端のみ行えば十分である。
【００２６】
図８に示すように、固定した栽培槽設置台２０のホールドガード２２に、現場あわせで組み立てを行った栽培槽をすっぽりと収納・固定することにより、長スパンの栽培槽であっても、連接管で接続された栽培槽であっても容易に据付できる。水平レベルの調整は、大まかには栽培槽設置台の据付の際に現場合わせで行うが、微調整は栽培槽設置台に付属させているレベル調整ボルト（図は省略）を廻すことにより、栽培槽底部を上げ下げして行う。もちろん、比較的調整量が少なくてすむ場合には、ライナーなどをかませることで十分調整できる。
【００２７】
栽培槽の底部を余剰液肥の帰路とする場合には、排水管側に向かって下がり勾配とする必要があるが、１／５００程度の勾配があれば十分である。また、液肥供給用のドリップチューブについては、据付上のレベル調整について注意すべきことは特にない。
【産業上の利用可能性】
【００２８】
本発明のつる性植物の栽培槽及び設置方法は、ビルの屋上や傾斜屋根の緑化を、ヘデラ等のつる性植物の水耕栽培で行う場合に極めて有効である。たとえば、高層ビルの比較的大規模な緑化であっても、緑化の資機材がエレベーターで人力により運搬できる。また工場のスレート屋根・折板屋根などの大規模な緑化であっても、大掛かりな足場等の仮設備が不要で、はしご式の荷揚げ機などにより容易に施工できるなど、作業性や経済性の高いつる性植物の栽培槽および設置方法として活用でき、緑化の促進に貢献できる。
【図面の簡単な説明】
【００２９】
【図１】本発明のアダプター接続による栽培槽の一例を示す概略斜視図である。
【図２】本発明の連接管接続による栽培槽の一例を示す概略斜視図である。
【図３】図１の栽培槽の給排水口を有する終端カバーのＡ−Ａ断面図である。
【図４】図１の栽培槽の給排水口を有する終端カバーのＢ−Ｂ断面図である。
【図５】接続アダプターによる接続の状態を示すＣ−Ｃ断面図である。
【図６】接続アダプターによる接続の状態を示すＤ−Ｄ断面図である。
【図７】栽培槽のＥ−Ｅ断面図である。
【図８】図２の栽培槽をスレート屋根棟に設置した場合の一例を示す概略斜視図である。
【符号の説明】
【００３０】
１…栽培槽の胴、２…接続アダプター、３…終端カバー、４…終端カバー（給排水口付き）、６…上蓋、７…連接管、８…給水口  、９…排水口、１９…すのこ、２０…栽培槽設置台、２２…ホールドガード。
【図１】
2010017125.tif 000003
【図２】
2010017125.tif 000004
【図３】
2010017125.tif 000005
【図４】
2010017125.tif 000006
【図５】
2010017125.tif 000007
【図６】
2010017125.tif 000008
【図７】
2010017125.tif 000009
【図８】
2010017125.tif 000010